(57)【要約】【課題】本発明は組み立て式ハンドルカバーを開示した。【解決手段】自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられる。【選択図】図１
2020152359.tif 000002
【特許請求の範囲】
【請求項１】
自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられ、前記横ロッドスリーブが自転車のハンドルの横ロッドの部分をカバーすることができ、前記横ロッドスリーブの片側端面には自転車のハンドルをカバーするハンドルグリップカバーがネジ山によって係合し取り付けられ、前記横ロッドスリーブには自転車のブレーキ用の穴が設けられ、前記外部ケースの内部には外部部品も設けられ、前記外部部品は前記外部ケースの後側端面に設けられた照明チャンバを含み、前記照明チャンバの左右内壁の間には支え回転軸が回転できるように係合し取り付けられ、前記支え回転軸には第一歯車が固定的に取り付けられ、前記第一歯車には集光できる集光板が固定的に取り付けられ、前記集光板の中には照明できる電球が固定的に取り付けられ、前記外部ケースの頂部の斜め側端面には挟みケースが固定的に取り付けられ、前記挟みケースの中には携帯電話などの通信設備を挟むことができる挟み板が設けられ、前記外部部品は前記第一縦ロッドスリーブの右側端面に設けられたモバイルバッテリーを収納する電源チャンバも含むことを特徴とする組み立て式ハンドルカバーである。
【請求項２】
前記外側カバー部品は前記第一縦ロッドスリーブの片側端面に設けられた引掛り階段も含み、前記第一縦ロッドスリーブには引掛り輪が回転できるように係合し取り付けられ、前記引掛り輪と前記引掛り階段とが回転できるように係合し取り付けられ、前記横ロッドスリーブの右側端面には第一引掛りバックルが固定的に設けられ、前記第一引掛りバックルと前記引掛り輪とが引掛ることができ、これにより第一縦ロッドスリーブと挟みスリーブが自転車のハンドルの中間の垂直部分に引っ掛かられ、固定ネジ山をきつくねじった後にきつく挟み、横ロッドスリーブを引掛り輪の中に押し、横ロッドスリーブが引掛り輪と引掛り、横ロッドスリーブが自転車のハンドルの横ロッドの部分をカバーすることを特徴とする請求項１に記載の組み立て式ハンドルカバーである。
【請求項３】
前記外部部品は前記第一縦ロッドスリーブの頂部端面に設けられた引掛りバックル溝も含み、前記引掛りバックル溝の底壁には電源接点が固定的に取り付けられ、前記外部ケースの底部端面には第二引掛りバックルが固定的に取り付けられ、前記第二引掛りバックルと前記電源接点とが接触でき、前記照明チャンバの前側内壁と前記外部ケースの前側端面との間には調節軸が回転できるように係合し取り付けられ、前記調節軸の後側端面には第二歯車が固定的に取り付けられ、前記第二歯車と前記第一歯車とが噛み合い、前記調節軸の前側端面には調節ノブが固定的に取り付けられ、前記照明チャンバの上側には歯車チャンバが設けられ、前記歯車チャンバと前記外部ケースの頂部端面との間には挟みノブ軸が回転できるように係合し取り付けられ、前記挟みノブ軸の頂部端面には挟みノブが固定的に取り付けられ、前記挟みノブ軸には第三歯車が固定的に取り付けられ、前記挟みケースの中には伝動チャンバが設けられ、前記歯車チャンバと前記伝動チャンバとの間には歯車軸が回転できるように係合し取り付けられ、前記歯車軸には第四歯車が固定的に取り付けられ、前記第四歯車と前記第三歯車とが噛み合い、前記歯車軸の頂部端面には第五歯車が固定的に取り付けられ、前記挟み板の片側にはラックが設けられ、前記挟み板のラックと前記第五歯車とが噛み合い、前記挟み板の片側端面と前記伝動チャンバの片側内壁との間にはプッシュバネが固定的に取り付けられ、前記挟み板の片側内壁には挟み溝が設けられ、右側の前記横ロッドスリーブの右側端面にはスイッチ固定スリーブが固定的に取り付けられ、前記スイッチ固定スリーブには照明スイッチが固定的に取り付けられ、前記電源チャンバの左側内壁の中には固定バックルが固定的に取り付けられ、前記電源チャンバの頂壁にはスライドバックル溝が設けられ、前記スライドバックル溝の中にはスライドバックルがスライドできるように取り付けられ、前記スライドバックルと前記スライドバックル溝の頂壁との間にはスライドバックルバネが固定的に取り付けられ、モバイルバッテリーを電源チャンバの中に置き、スライドバックルと固定バックルとがモバイルバッテリーを電源チャンバの中に固定させ、照明スイッチを押し、電球を通電させ、調節ノブを回し、調節ノブが第二歯車を回転連動させ、第二歯車が回転して第一歯車を回転連動させ、第一歯車が回転して電球と集光板を回転連動させ、光の照射角度の調節を実現し、挟みノブを回し、挟みノブが第三歯車を回転連動させ、第三歯車が回転して第四歯車を回転連動させ、第四歯車が回転して第五歯車を回転連動させ、第五歯車が回転して挟み板を開けることができ、携帯電話などの携帯設備を挟み溝の中に置き、プッシュバネが挟み板を駆動して携帯電話などの携帯設備をきつく引っ掛かることを特徴とする請求項１に記載の組み立て式ハンドルカバーである。
【発明の詳細な説明】
【技術分野】
【０００１】
本発明は自転車用品技術分野を取り上げて、具体的には組み立て式ハンドルカバーである。
【背景技術】
【０００２】
自転車用ハンドルにはブレーキワイヤーと変速ワイヤーが取り付けられ、長時間に外に露出され、整理に不便であり、時間が長く経つとブレーキワイヤーもハンドルも腐食され、また一部分の自転車を乗る人がハンドルに照明設備を取り付け、これにより自転車のハンドルに取り付けられた物が多くなり、現在ではハンドルカバーを使って自転車のハンドルを整理し飾ることがほとんどなく、それに対して組み立て式ハンドルカバーが更に自転車の使用に適する。
【先行技術文献】
【特許文献】
【０００３】
【特許文献１】中国特許出願公開第１０５４３８２４３  号明細書
【発明の概要】
【発明が解決しようとする課題】
【０００４】
本発明の目的は組み立て式ハンドルカバーを提供し、それは上記の現在の技術中の問題を解決できる。
【課題を解決するための手段】
【０００５】
本発明の組み立て式ハンドルカバーは、自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられ、前記横ロッドスリーブが自転車のハンドルの横ロッドの部分をカバーすることができ、前記横ロッドスリーブの片側端面には自転車のハンドルをカバーするハンドルグリップカバーがネジ山によって係合し取り付けられ、前記横ロッドスリーブには自転車のブレーキ用の穴が設けられ、前記外部ケースの内部には外部部品も設けられ、前記外部部品は前記外部ケースの後側端面に設けられた照明チャンバを含み、前記照明チャンバの左右内壁の間には支え回転軸が回転できるように係合し取り付けられ、前記支え回転軸には第一歯車が固定的に取り付けられ、前記第一歯車には集光できる集光板が固定的に取り付けられ、前記集光板の中には照明できる電球が固定的に取り付けられ、前記外部ケースの頂部の斜め側端面には挟みケースが固定的に取り付けられ、前記挟みケースの中には携帯電話などの通信設備を挟むことができる挟み板が設けられ、前記外部部品は前記第一縦ロッドスリーブの右側端面に設けられたモバイルバッテリーを収納する電源チャンバも含む。
【０００６】
更の技術プラン、前記外側カバー部品は前記第一縦ロッドスリーブの片側端面に設けられた引掛り階段も含み、前記第一縦ロッドスリーブには引掛り輪が回転できるように係合し取り付けられ、前記引掛り輪と前記引掛り階段とが回転できるように係合し取り付けられ、前記横ロッドスリーブの右側端面には第一引掛りバックルが固定的に設けられ、前記第一引掛りバックルと前記引掛り輪とが引掛ることができる。
【０００７】
更の技術プラン、前記外部部品は前記第一縦ロッドスリーブの頂部端面に設けられた引掛りバックル溝も含み、前記引掛りバックル溝の底壁には電源接点が固定的に取り付けられ、前記外部ケースの底部端面には第二引掛りバックルが固定的に取り付けられ、前記第二引掛りバックルと前記電源接点とが接触でき、前記照明チャンバの前側内壁と前記外部ケースの前側端面との間には調節軸が回転できるように係合し取り付けられ、前記調節軸の後側端面には第二歯車が固定的に取り付けられ、前記第二歯車と前記第一歯車とが噛み合い、前記調節軸の前側端面には調節ノブが固定的に取り付けられ、前記照明チャンバの上側には歯車チャンバが設けられ、前記歯車チャンバと前記外部ケースの頂部端面との間には挟みノブ軸が回転できるように係合し取り付けられ、前記挟みノブ軸の頂部端面には挟みノブが固定的に取り付けられ、前記挟みノブ軸には第三歯車が固定的に取り付けられ、前記挟みケースの中には伝動チャンバが設けられ、前記歯車チャンバと前記伝動チャンバとの間には歯車軸が回転できるように係合し取り付けられ、前記歯車軸には第四歯車が固定的に取り付けられ、前記第四歯車と前記第三歯車とが噛み合い、前記歯車軸の頂部端面には第五歯車が固定的に取り付けられ、前記挟み板の片側にはラックが設けられ、前記挟み板のラックと前記第五歯車とが噛み合い、前記挟み板の片側端面と前記伝動チャンバの片側内壁との間にはプッシュバネが固定的に取り付けられ、前記挟み板の片側内壁には挟み溝が設けられ、右側の前記横ロッドスリーブの右側端面にはスイッチ固定スリーブが固定的に取り付けられ、前記スイッチ固定スリーブには照明スイッチが固定的に取り付けられ、前記電源チャンバの左側内壁の中には固定バックルが固定的に取り付けられ、前記電源チャンバの頂壁にはスライドバックル溝が設けられ、前記スライドバックル溝の中にはスライドバックルがスライドできるように取り付けられ、前記スライドバックルと前記スライドバックル溝の頂壁との間にはスライドバックルバネが固定的に取り付けられる。
【０００８】
本発明の有益効果は：本発明は組み立て式の方式で自転車のハンドルをカバーし、自転車のハンドルのブレキーワイヤーをまとめて収納して保護し、ハンドルスリーブの中には照明などの外部設備が設けられ、便利に自転車を乗ることができ、同時にハンドルの整理も便利になり、組み立ての各部分を取り外すことができ、取り替えることに便利であり、普及価値がある。
【発明の効果】
【０００９】
本発明は組み立て式の方式で自転車のハンドルをカバーし、自転車のハンドルのブレキーワイヤーをまとめて収納して保護し、ハンドルスリーブの中には照明などの外部設備が設けられ、便利に自転車を乗ることができ、同時にハンドルの整理も便利になり、組み立ての各部分を取り外すことができ、取り替えることに便利であり、普及価値がある。
【図面の簡単な説明】
【００１０】
説明しやすいため、本発明は以下の具体的な実施例と付図を交え詳しく説明する。
【００１１】
【図１】図１は本発明の組み立て式ハンドルカバーの全体構成略図である。
【図２】図２は図１のＡ−Ａの断面構成略図である。
【図３】図３は図１のＢの拡大構成略図である。
【図４】図４は図２のＣ−Ｃの断面構成略図である。
【図５】図５は図２のＤ−Ｄの断面構成略図である。
【発明を実施するための形態】
【００１２】
以下に図１−５を交えて本発明について詳しく説明する。便利に叙述するため、現在は後文に出る方位を下記の通りに規定する：後文に出る上下左右前後方向は図１本体の投影関係の上下左右前後方向と一致する。
【００１３】
図１−５を参照し、本発明の組み立て式ハンドルカバーは、自転車のハンドルに固定的に取り付けられた外部ケース１３を含み、前記外部ケース１３の下側には自転車のハンドルをカバーする外側カバー部品８０が固定的に取り付けられ、前記外側カバー部品８０は第一縦ロッドスリーブ１４と左右対称の横ロッドスリーブ１１を含み、前記第一縦ロッドスリーブ１４の底部端面には第二縦ロッドスリーブ５０がヒンジによって取り付けられ、前記第二縦ロッドスリーブ５０と前記第一縦ロッドスリーブ１４とが自転車のハンドルの中間の垂直部分をカバーし、前記第二縦ロッドスリーブ５０と前記第一縦ロッドスリーブ１４の外側端面には第一縦ロッドスリーブ１４と第二縦ロッドスリーブ５０をきつく挟むことができる挟みスリーブ５１が固定的に取り付けられ、前記挟みスリーブ５１の底部にはきつく挟むことができる固定ネジ山５２がネジ山によって係合し取り付けられ、前記横ロッドスリーブ１１が自転車のハンドルの横ロッドの部分をカバーすることができ、前記横ロッドスリーブ１１の片側端面には自転車のハンドルをカバーするハンドルグリップカバー１０がネジ山によって係合し取り付けられ、前記横ロッドスリーブ１１には自転車のブレーキ用の穴１２が設けられ、前記外部ケース１３の内部には外部部品８１も設けられ、前記外部部品８１は前記外部ケース１３の後側端面に設けられた照明チャンバ２６を含み、前記照明チャンバ２６の左右内壁の間には支え回転軸２９が回転できるように係合し取り付けられ、前記支え回転軸２９には第一歯車３０が固定的に取り付けられ、前記第一歯車３０には集光できる集光板２８が固定的に取り付けられ、前記集光板２８の中には照明できる電球２７が固定的に取り付けられ、前記外部ケース１３の頂部の斜め側端面には挟みケース３８が固定的に取り付けられ、前記挟みケース３８の中には携帯電話などの通信設備を挟むことができる挟み板３６が設けられ、前記外部部品８１は前記第一縦ロッドスリーブ１４の右側端面に設けられたモバイルバッテリーを収納する電源チャンバ１８も含む。
【００１４】
前記外側カバー部品８０は前記第一縦ロッドスリーブ１４の片側端面に設けられた引掛り階段４９も含み、前記第一縦ロッドスリーブ１４には引掛り輪４８が回転できるように係合し取り付けられ、前記引掛り輪４８と前記引掛り階段４９とが回転できるように係合し取り付けられ、前記横ロッドスリーブ１１の右側端面には第一引掛りバックル４７が固定的に設けられ、前記第一引掛りバックル４７と前記引掛り輪４８とが引掛ることができ、これにより第一縦ロッドスリーブ１４と挟みスリーブ５１が自転車のハンドルの中間の垂直部分に引っ掛かられ、固定ネジ山５２をきつくねじった後にきつく挟み、横ロッドスリーブ１１を引掛り輪４８の中に押し、横ロッドスリーブ１１が引掛り輪４８と引掛り、横ロッドスリーブ１１が自転車のハンドルの横ロッドの部分をカバーする。
【００１５】
前記外部部品８１は前記第一縦ロッドスリーブ１４の頂部端面に設けられた引掛りバックル溝４５も含み、前記引掛りバックル溝４５の底壁には電源接点４６が固定的に取り付けられ、前記外部ケース１３の底部端面には第二引掛りバックル４４が固定的に取り付けられ、前記第二引掛りバックル４４と前記電源接点４６とが接触でき、前記照明チャンバ２６の前側内壁と前記外部ケース１３の前側端面との間には調節軸２４が回転できるように係合し取り付けられ、前記調節軸２４の後側端面には第二歯車３１が固定的に取り付けられ、前記第二歯車３１と前記第一歯車３０とが噛み合い、前記調節軸２４の前側端面には調節ノブ２３が固定的に取り付けられ、前記照明チャンバ２６の上側には歯車チャンバ３４が設けられ、前記歯車チャンバ３４と前記外部ケース１３の頂部端面との間には挟みノブ軸３３が回転できるように係合し取り付けられ、前記挟みノブ軸３３の頂部端面には挟みノブ３２が固定的に取り付けられ、前記挟みノブ軸３３には第三歯車３５が固定的に取り付けられ、前記挟みケース３８の中には伝動チャンバ３９が設けられ、前記歯車チャンバ３４と前記伝動チャンバ３９との間には歯車軸４２が回転できるように係合し取り付けられ、前記歯車軸４２には第四歯車４３が固定的に取り付けられ、前記第四歯車４３と前記第三歯車３５とが噛み合い、前記歯車軸４２の頂部端面には第五歯車４１が固定的に取り付けられ、前記挟み板３６の片側にはラックが設けられ、前記挟み板３６のラックと前記第五歯車４１とが噛み合い、前記挟み板３６の片側端面と前記伝動チャンバ３９の片側内壁との間にはプッシュバネ４０が固定的に取り付けられ、前記挟み板３６の片側内壁には挟み溝３７が設けられ、右側の前記横ロッドスリーブ１１の右側端面にはスイッチ固定スリーブ２１が固定的に取り付けられ、前記スイッチ固定スリーブ２１には照明スイッチ２２が固定的に取り付けられ、前記電源チャンバ１８の左側内壁の中には固定バックル２０が固定的に取り付けられ、前記電源チャンバ１８の頂壁にはスライドバックル溝１６が設けられ、前記スライドバックル溝１６の中にはスライドバックル１９がスライドできるように取り付けられ、前記スライドバックル１９と前記スライドバックル溝１６の頂壁との間にはスライドバックルバネ１７が固定的に取り付けられ、モバイルバッテリーを電源チャンバ１８の中に置き、スライドバックル１９と固定バックル２０とがモバイルバッテリーを電源チャンバ１８の中に固定させ、照明スイッチ２２を押し、電球２７を通電させ、調節ノブ２３を回し、調節ノブ２３が第二歯車３１を回転連動させ、第二歯車３１が回転して第一歯車３０を回転連動させ、第一歯車３０が回転して電球２７と集光板２８を回転連動させ、光の照射角度の調節を実現し、挟みノブ３２を回し、挟みノブ３２が第三歯車３５を回転連動させ、第三歯車３５が回転して第四歯車４３を回転連動させ、第四歯車４３が回転して第五歯車４１を回転連動させ、第五歯車４１が回転して挟み板３６を開けることができ、携帯電話などの携帯設備を挟み溝３７の中に置き、プッシュバネ４０が挟み板３６を駆動して携帯電話などの携帯設備をきつく引っ掛かる。
【００１６】
使用する時：第一縦ロッドスリーブ１４と挟みスリーブ５１を自転車のハンドルの中間の垂直部分に引掛り、固定ネジ山５２をきつくねじった後にきつく挟み、横ロッドスリーブ１１を引掛り輪４８の中に押し、横ロッドスリーブ１１と引掛り輪４８とが引掛り、横ロッドスリーブ１１が自転車のハンドルの横ロッド部分をカバーし、このハンドルカバーを自転車のハンドルに取り付け、モバイルバッテリーを電源チャンバ１８の中に置き、スライドバックル１９と固定バックル２０がモバイルバッテリーを電源チャンバ１８の中に固定的に取り付けられることができ、照明スイッチ２２を押し、電球２７が通電され、調節ノブ２３を回し、調節ノブ２３が第二歯車３１を回転連動させ、第二歯車３１が回転して第一歯車３０を回転連動させ、第一歯車３０が回転し電球２７と集光板２８を回転連動させ、光の照射角度の調節を実現し、挟みノブ３２を回し、挟みノブ３２が第三歯車３５を回転連動させ、第三歯車３５が回転して第四歯車４３を回転連動させ、第四歯車４３が回転して第五歯車４１を回転連動させ、第五歯車４１が回転して挟み板３６を開けることができ、携帯電話などの携帯設備を挟み溝３７の中に置き、伝動チャンバ３９が挟み板３６を駆動して携帯電話などの携帯設備をきつく引っ掛かる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020152359.tif 000003
【図２】
2020152359.tif 000004
【図３】
2020152359.tif 000005
【図４】
2020152359.tif 000006
【図５】
2020152359.tif 000007
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられ、前記横ロッドスリーブが自転車のハンドルの横ロッドの部分をカバーすることができ、前記横ロッドスリーブの片側端面には自転車のハンドルをカバーするハンドルグリップカバーがネジ山によって係合し取り付けられ、前記横ロッドスリーブには自転車のブレーキ用の穴が設けられ、前記外部ケースの内部には外部部品も設けられ、前記外部部品は前記外部ケースの後側端面に設けられた照明チャンバを含み、前記照明チャンバの左右内壁の間には支え回転軸が回転できるように係合し取り付けられ、前記支え回転軸には第一歯車が固定的に取り付けられ、前記第一歯車には集光できる集光板が固定的に取り付けられ、前記集光板の中には照明できる電球が固定的に取り付けられ、前記外部ケースの頂部の斜め側端面には挟みケースが固定的に取り付けられ、前記挟みケースの中には携帯電話を挟むことができる挟み板が設けられ、前記外部部品は前記第一縦ロッドスリーブの右側端面に設けられたモバイルバッテリーを収納する電源チャンバも含むことを特徴とする組み立て式ハンドルカバーである。
【請求項２】
前記外側カバー部品は前記第一縦ロッドスリーブの片側端面に設けられた引掛り凸部も含み、前記第一縦ロッドスリーブには引掛り輪が回転できるように係合し取り付けられ、前記引掛り輪と前記引掛り凸部とが回転できるように係合し取り付けられ、前記横ロッドスリーブの右側端面には第一引掛りバックルが固定的に設けられ、前記第一引掛りバックルと前記引掛り輪とが引掛ることができ、第一縦ロッドスリーブと挟みスリーブとを自転車のハンドルの中間の垂直部分に挿し、固定ネジ山をきつくねじることにより第一縦ロッドスリーブと挟みスリーブとが自転車のハンドルの中間の垂直部分をきつく挟み、横ロッドスリーブを引掛り輪の中に押し、横ロッドスリーブが引掛り輪と引掛り、横ロッドスリーブが自転車のハンドルの横ロッドの部分をカバーすることを特徴とする請求項１に記載の組み立て式ハンドルカバーである。
【請求項３】
前記外部部品は前記第一縦ロッドスリーブの頂部端面に設けられた引掛りバックル溝も含み、前記引掛りバックル溝の底壁には電源接点が固定的に取り付けられ、前記外部ケースの底部端面には第二引掛りバックルが固定的に取り付けられ、前記第二引掛りバックルと前記電源接点とが接触でき、前記照明チャンバの前側内壁と前記外部ケースの前側端面との間には調節軸が回転できるように係合し取り付けられ、前記調節軸の後側端面には第二歯車が固定的に取り付けられ、前記第二歯車と前記第一歯車とが噛み合い、前記調節軸の前側端面には調節ノブが固定的に取り付けられ、前記照明チャンバの上側には歯車チャンバが設けられ、前記歯車チャンバと前記外部ケースの頂部端面との間には挟みノブ軸が回転できるように係合し取り付けられ、前記挟みノブ軸の頂部端面には挟みノブが固定的に取り付けられ、前記挟みノブ軸には第三歯車が固定的に取り付けられ、前記挟みケースの中には伝動チャンバが設けられ、前記歯車チャンバと前記伝動チャンバとの間には歯車軸が回転できるように係合し取り付けられ、前記歯車軸には第四歯車が固定的に取り付けられ、前記第四歯車と前記第三歯車とが噛み合い、前記歯車軸の頂部端面には第五歯車が固定的に取り付けられ、前記挟み板の片側にはラックが設けられ、前記挟み板のラックと前記第五歯車とが噛み合い、前記挟み板の片側端面と前記伝動チャンバの片側内壁との間にはプッシュバネが固定的に取り付けられ、前記挟み板の片側内壁には挟み溝が設けられ、右側の前記横ロッドスリーブの右側端面にはスイッチ固定スリーブが固定的に取り付けられ、前記スイッチ固定スリーブには照明スイッチが固定的に取り付けられ、前記電源チャンバの左側内壁の中には固定バックルが固定的に取り付けられ、前記電源チャンバの頂壁にはスライドバックル溝が設けられ、前記スライドバックル溝の中にはスライドバックルがスライドできるように取り付けられ、前記スライドバックルと前記スライドバックル溝の頂壁との間にはスライドバックルバネが固定的に取り付けられ、モバイルバッテリーを電源チャンバの中に置き、スライドバックルと固定バックルとがモバイルバッテリーを電源チャンバの中に固定させ、照明スイッチを押し、電球を通電させ、調節ノブを回し、調節ノブが第二歯車を回転連動させ、第二歯車が回転して第一歯車を回転連動させ、第一歯車が回転して電球と集光板を回転連動させ、光の照射角度の調節を実現し、挟みノブを回し、挟みノブが第三歯車を回転連動させ、第三歯車が回転して第四歯車を回転連動させ、第四歯車が回転して第五歯車を回転連動させ、第五歯車が回転して挟み板を開けることができ、携帯電話を挟み溝の中に置き、プッシュバネが挟み板を駆動して携帯電話をきつく挟むことを特徴とする請求項１に記載の組み立て式ハンドルカバーである。
【手続補正２】
【補正対象書類名】明細書
【補正対象項目名】全文
【補正方法】変更
【補正の内容】
【発明の詳細な説明】
【技術分野】
【０００１】
本発明は自転車用品技術分野を取り上げて、具体的には組み立て式ハンドルカバーである。
【背景技術】
【０００２】
自転車用ハンドルにはブレーキワイヤーと変速ワイヤーが取り付けられ、長時間に外に露出され、整理に不便であり、時間が長く経つとブレーキワイヤーもハンドルも腐食され、また一部分の自転車を乗る人がハンドルに照明設備を取り付け、これにより自転車のハンドルに取り付けられた物が多くなり、現在ではハンドルカバーを使って自転車のハンドルを整理し飾ることがほとんどなく、それに対して組み立て式ハンドルカバーが更に自転車の使用に適する。
【先行技術文献】
【特許文献】
【０００３】
【特許文献１】中国特許出願公開第１０５４３８２４３号明細書
【発明の概要】
【発明が解決しようとする課題】
【０００４】
本発明の目的は組み立て式ハンドルカバーを提供し、それは上記の現在の技術中の問題を解決できる。
【課題を解決するための手段】
【０００５】
本発明の組み立て式ハンドルカバーは、自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられ、前記横ロッドスリーブが自転車のハンドルの横ロッドの部分をカバーすることができ、前記横ロッドスリーブの片側端面には自転車のハンドルをカバーするハンドルグリップカバーがネジ山によって係合し取り付けられ、前記横ロッドスリーブには自転車のブレーキ用の穴が設けられ、前記外部ケースの内部には外部部品も設けられ、前記外部部品は前記外部ケースの後側端面に設けられた照明チャンバを含み、前記照明チャンバの左右内壁の間には支え回転軸が回転できるように係合し取り付けられ、前記支え回転軸には第一歯車が固定的に取り付けられ、前記第一歯車には集光できる集光板が固定的に取り付けられ、前記集光板の中には照明できる電球が固定的に取り付けられ、前記外部ケースの頂部の斜め側端面には挟みケースが固定的に取り付けられ、前記挟みケースの中には携帯電話を挟むことができる挟み板が設けられ、前記外部部品は前記第一縦ロッドスリーブの右側端面に設けられたモバイルバッテリーを収納する電源チャンバも含む。
【０００６】
更の技術プラン、前記外側カバー部品は前記第一縦ロッドスリーブの片側端面に設けられた引掛り凸部も含み、前記第一縦ロッドスリーブには引掛り輪が回転できるように係合し取り付けられ、前記引掛り輪と前記引掛り凸部とが回転できるように係合し取り付けられ、前記横ロッドスリーブの右側端面には第一引掛りバックルが固定的に設けられ、前記第一引掛りバックルと前記引掛り輪とが引掛ることができる。
【０００７】
更の技術プラン、前記外部部品は前記第一縦ロッドスリーブの頂部端面に設けられた引掛りバックル溝も含み、前記引掛りバックル溝の底壁には電源接点が固定的に取り付けられ、前記外部ケースの底部端面には第二引掛りバックルが固定的に取り付けられ、前記第二引掛りバックルと前記電源接点とが接触でき、前記照明チャンバの前側内壁と前記外部ケースの前側端面との間には調節軸が回転できるように係合し取り付けられ、前記調節軸の後側端面には第二歯車が固定的に取り付けられ、前記第二歯車と前記第一歯車とが噛み合い、前記調節軸の前側端面には調節ノブが固定的に取り付けられ、前記照明チャンバの上側には歯車チャンバが設けられ、前記歯車チャンバと前記外部ケースの頂部端面との間には挟みノブ軸が回転できるように係合し取り付けられ、前記挟みノブ軸の頂部端面には挟みノブが固定的に取り付けられ、前記挟みノブ軸には第三歯車が固定的に取り付けられ、前記挟みケースの中には伝動チャンバが設けられ、前記歯車チャンバと前記伝動チャンバとの間には歯車軸が回転できるように係合し取り付けられ、前記歯車軸には第四歯車が固定的に取り付けられ、前記第四歯車と前記第三歯車とが噛み合い、前記歯車軸の頂部端面には第五歯車が固定的に取り付けられ、前記挟み板の片側にはラックが設けられ、前記挟み板のラックと前記第五歯車とが噛み合い、前記挟み板の片側端面と前記伝動チャンバの片側内壁との間にはプッシュバネが固定的に取り付けられ、前記挟み板の片側内壁には挟み溝が設けられ、右側の前記横ロッドスリーブの右側端面にはスイッチ固定スリーブが固定的に取り付けられ、前記スイッチ固定スリーブには照明スイッチが固定的に取り付けられ、前記電源チャンバの左側内壁の中には固定バックルが固定的に取り付けられ、前記電源チャンバの頂壁にはスライドバックル溝が設けられ、前記スライドバックル溝の中にはスライドバックルがスライドできるように取り付けられ、前記スライドバックルと前記スライドバックル溝の頂壁との間にはスライドバックルバネが固定的に取り付けられる。
【０００８】
本発明の有益効果は：本発明は組み立て式の方式で自転車のハンドルをカバーし、自転車のハンドルのブレキーワイヤーをまとめて収納して保護し、ハンドルスリーブの中には照明などの外部設備が設けられ、便利に自転車を乗ることができ、同時にハンドルの整理も便利になり、組み立ての各部分を取り外すことができ、取り替えることに便利であり、普及価値がある。
【発明の効果】
【０００９】
本発明は組み立て式の方式で自転車のハンドルをカバーし、自転車のハンドルのブレキーワイヤーをまとめて収納して保護し、ハンドルスリーブの中には照明などの外部設備が設けられ、便利に自転車を乗ることができ、同時にハンドルの整理も便利になり、組み立ての各部分を取り外すことができ、取り替えることに便利であり、普及価値がある。
【図面の簡単な説明】
【００１０】
説明しやすいため、本発明は以下の具体的な実施例と付図を交え詳しく説明する。
【００１１】
【図１】図１は本発明の組み立て式ハンドルカバーの全体構成略図である。
【図２】図２は図１のＡ−Ａの断面構成略図である。
【図３】図３は図１のＢの拡大構成略図である。
【図４】図４は図２のＣ−Ｃの断面構成略図である。
【図５】図５は図２のＤ−Ｄの断面構成略図である。
【発明を実施するための形態】
【００１２】
以下に図１−５を交えて本発明について詳しく説明する。便利に叙述するため、現在は後文に出る方位を下記の通りに規定する：後文に出る上下左右前後方向は図１本体の投影関係の上下左右前後方向と一致する。
【００１３】
図１−５を参照し、本発明の組み立て式ハンドルカバーは、自転車のハンドルに固定的に取り付けられた外部ケース１３を含み、前記外部ケース１３の下側には自転車のハンドルをカバーする外側カバー部品８０が固定的に取り付けられ、前記外側カバー部品８０は第一縦ロッドスリーブ１４と左右対称の横ロッドスリーブ１１を含み、前記第一縦ロッドスリーブ１４の底部端面には第二縦ロッドスリーブ５０がヒンジによって取り付けられ、前記第二縦ロッドスリーブ５０と前記第一縦ロッドスリーブ１４とが自転車のハンドルの中間の垂直部分をカバーし、前記第二縦ロッドスリーブ５０と前記第一縦ロッドスリーブ１４の外側端面には第一縦ロッドスリーブ１４と第二縦ロッドスリーブ５０をきつく挟むことができる挟みスリーブ５１が固定的に取り付けられ、前記挟みスリーブ５１の底部にはきつく挟むことができる固定ネジ山５２がネジ山によって係合し取り付けられ、前記横ロッドスリーブ１１が自転車のハンドルの横ロッドの部分をカバーすることができ、前記横ロッドスリーブ１１の片側端面には自転車のハンドルをカバーするハンドルグリップカバー１０がネジ山によって係合し取り付けられ、前記横ロッドスリーブ１１には自転車のブレーキ用の穴１２が設けられ、前記外部ケース１３の内部には外部部品８１も設けられ、前記外部部品８１は前記外部ケース１３の後側端面に設けられた照明チャンバ２６を含み、前記照明チャンバ２６の左右内壁の間には支え回転軸２９が回転できるように係合し取り付けられ、前記支え回転軸２９には第一歯車３０が固定的に取り付けられ、前記第一歯車３０には集光できる集光板２８が固定的に取り付けられ、前記集光板２８の中には照明できる電球２７が固定的に取り付けられ、前記外部ケース１３の頂部の斜め側端面には挟みケース３８が固定的に取り付けられ、前記挟みケース３８の中には携帯電話を挟むことができる挟み板３６が設けられ、前記外部部品８１は前記第一縦ロッドスリーブ１４の右側端面に設けられたモバイルバッテリーを収納する電源チャンバ１８も含む。
【００１４】
前記外側カバー部品８０は前記第一縦ロッドスリーブ１４の片側端面に設けられた引掛り凸部４９も含み、前記第一縦ロッドスリーブ１４には引掛り輪４８が回転できるように係合し取り付けられ、前記引掛り輪４８と前記引掛り凸部４９とが回転できるように係合し取り付けられ、前記横ロッドスリーブ１１の右側端面には第一引掛りバックル４７が固定的に設けられ、前記第一引掛りバックル４７と前記引掛り輪４８とが引掛ることができ、第一縦ロッドスリーブ１４と挟みスリーブ５１とを自転車のハンドルの中間の垂直部分に挿し、固定ネジ山５２をきつくねじることにより第一縦ロッドスリーブ１４と挟みスリーブ５１とが自転車のハンドルの中間の垂直部分をきつく挟み、横ロッドスリーブ１１を引掛り輪４８の中に押し、横ロッドスリーブ１１が引掛り輪４８と引掛り、横ロッドスリーブ１１が自転車のハンドルの横ロッドの部分をカバーする。
【００１５】
前記外部部品８１は前記第一縦ロッドスリーブ１４の頂部端面に設けられた引掛りバックル溝４５も含み、前記引掛りバックル溝４５の底壁には電源接点４６が固定的に取り付けられ、前記外部ケース１３の底部端面には第二引掛りバックル４４が固定的に取り付けられ、前記第二引掛りバックル４４と前記電源接点４６とが接触でき、前記照明チャンバ２６の前側内壁と前記外部ケース１３の前側端面との間には調節軸２４が回転できるように係合し取り付けられ、前記調節軸２４の後側端面には第二歯車３１が固定的に取り付けられ、前記第二歯車３１と前記第一歯車３０とが噛み合い、前記調節軸２４の前側端面には調節ノブ２３が固定的に取り付けられ、前記照明チャンバ２６の上側には歯車チャンバ３４が設けられ、前記歯車チャンバ３４と前記外部ケース１３の頂部端面との間には挟みノブ軸３３が回転できるように係合し取り付けられ、前記挟みノブ軸３３の頂部端面には挟みノブ３２が固定的に取り付けられ、前記挟みノブ軸３３には第三歯車３５が固定的に取り付けられ、前記挟みケース３８の中には伝動チャンバ３９が設けられ、前記歯車チャンバ３４と前記伝動チャンバ３９との間には歯車軸４２が回転できるように係合し取り付けられ、前記歯車軸４２には第四歯車４３が固定的に取り付けられ、前記第四歯車４３と前記第三歯車３５とが噛み合い、前記歯車軸４２の頂部端面には第五歯車４１が固定的に取り付けられ、前記挟み板３６の片側にはラックが設けられ、前記挟み板３６のラックと前記第五歯車４１とが噛み合い、前記挟み板３６の片側端面と前記伝動チャンバ３９の片側内壁との間にはプッシュバネ４０が固定的に取り付けられ、前記挟み板３６の片側内壁には挟み溝３７が設けられ、右側の前記横ロッドスリーブ１１の右側端面にはスイッチ固定スリーブ２１が固定的に取り付けられ、前記スイッチ固定スリーブ２１には照明スイッチ２２が固定的に取り付けられ、前記電源チャンバ１８の左側内壁の中には固定バックル２０が固定的に取り付けられ、前記電源チャンバ１８の頂壁にはスライドバックル溝１６が設けられ、前記スライドバックル溝１６の中にはスライドバックル１９がスライドできるように取り付けられ、前記スライドバックル１９と前記スライドバックル溝１６の頂壁との間にはスライドバックルバネ１７が固定的に取り付けられ、モバイルバッテリーを電源チャンバ１８の中に置き、スライドバックル１９と固定バックル２０とがモバイルバッテリーを電源チャンバ１８の中に固定させ、照明スイッチ２２を押し、電球２７を通電させ、調節ノブ２３を回し、調節ノブ２３が第二歯車３１を回転連動させ、第二歯車３１が回転して第一歯車３０を回転連動させ、第一歯車３０が回転して電球２７と集光板２８を回転連動させ、光の照射角度の調節を実現し、挟みノブ３２を回し、挟みノブ３２が第三歯車３５を回転連動させ、第三歯車３５が回転して第四歯車４３を回転連動させ、第四歯車４３が回転して第五歯車４１を回転連動させ、第五歯車４１が回転して挟み板３６を開けることができ、携帯電話を挟み溝３７の中に置き、プッシュバネ４０が挟み板３６を駆動して携帯電話をきつく挟む。
【００１６】
使用する時：第一縦ロッドスリーブ１４と挟みスリーブ５１を自転車のハンドルの中間の垂直部分に引掛り、固定ネジ山５２をきつくねじった後にきつく挟み、横ロッドスリーブ１１を引掛り輪４８の中に押し、横ロッドスリーブ１１と引掛り輪４８とが引掛り、横ロッドスリーブ１１が自転車のハンドルの横ロッド部分をカバーし、このハンドルカバーを自転車のハンドルに取り付け、モバイルバッテリーを電源チャンバ１８の中に置き、スライドバックル１９と固定バックル２０がモバイルバッテリーを電源チャンバ１８の中に固定的に取り付けられることができ、照明スイッチ２２を押し、電球２７が通電され、調節ノブ２３を回し、調節ノブ２３が第二歯車３１を回転連動させ、第二歯車３１が回転して第一歯車３０を回転連動させ、第一歯車３０が回転し電球２７と集光板２８を回転連動させ、光の照射角度の調節を実現し、挟みノブ３２を回し、挟みノブ３２が第三歯車３５を回転連動させ、第三歯車３５が回転して第四歯車４３を回転連動させ、第四歯車４３が回転して第五歯車４１を回転連動させ、第五歯車４１が回転して挟み板３６を開けることができ、携帯電話を挟み溝３７の中に置き、伝動チャンバ３９が挟み板３６を駆動して携帯電話をきつく挟む。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられ、前記横ロッドスリーブが自転車のハンドルの横ロッドの部分をカバーすることができ、前記横ロッドスリーブの片側端面には自転車のハンドルをカバーするハンドルグリップカバーがネジ山によって係合し取り付けられ、前記横ロッドスリーブには自転車のブレーキ用の穴が設けられ、前記外部ケースの内部には外部部品も設けられ、前記外部部品は前記外部ケースの後側端面に設けられた照明チャンバを含み、前記照明チャンバの左右内壁の間には支え回転軸が回転できるように係合し取り付けられ、前記支え回転軸には第一歯車が固定的に取り付けられ、前記第一歯車には集光できる集光板が固定的に取り付けられ、前記集光板の中には照明できる電球が固定的に取り付けられ、前記外部ケースの頂部の斜め側端面には挟みケースが固定的に取り付けられ、前記挟みケースの中には携帯電話を挟むことができる挟み板が設けられ、前記外部部品は前記第一縦ロッドスリーブの右側端面に設けられたモバイルバッテリーを収納する電源チャンバも含むことを特徴とする組み立て式ハンドルカバーである。
【請求項２】
前記外側カバー部品は前記第一縦ロッドスリーブの片側端面に設けられた引掛り凸部も含み、前記第一縦ロッドスリーブには引掛り輪が回転できるように係合し取り付けられ、前記引掛り輪と前記引掛り凸部とが回転できるように係合し取り付けられ、前記横ロッドスリーブの右側端面には第一引掛りバックルが固定的に設けられ、前記第一引掛りバックルと前記引掛り輪とが引掛ることができ、第一縦ロッドスリーブと挟みスリーブとを自転車のハンドルの中間の垂直部分に挿し、固定ネジ山をきつくねじることにより第一縦ロッドスリーブと挟みスリーブとが自転車のハンドルの中間の垂直部分をきつく挟み、横ロッドスリーブを引掛り輪の中に押し、横ロッドスリーブが引掛り輪と引掛り、横ロッドスリーブが自転車のハンドルの横ロッドの部分をカバーすることを特徴とする請求項１に記載の組み立て式ハンドルカバーである。
【請求項３】
前記外部部品は前記第一縦ロッドスリーブの頂部端面に設けられた引掛りバックル溝も含み、前記引掛りバックル溝の底壁には電源接点が固定的に取り付けられ、前記外部ケースの底部端面には第二引掛りバックルが固定的に取り付けられ、前記第二引掛りバックルと前記電源接点とが接触でき、前記照明チャンバの前側内壁と前記外部ケースの前側端面との間には調節軸が回転できるように係合し取り付けられ、前記調節軸の後側端面には第二歯車が固定的に取り付けられ、前記第二歯車と前記第一歯車とが噛み合い、前記調節軸の前側端面には調節ノブが固定的に取り付けられ、前記照明チャンバの上側には歯車チャンバが設けられ、前記歯車チャンバと前記外部ケースの頂部端面との間には挟みノブ軸が回転できるように係合し取り付けられ、前記挟みノブ軸の頂部端面には挟みノブが固定的に取り付けられ、前記挟みノブ軸には第三歯車が固定的に取り付けられ、前記挟みケースの中には伝動チャンバが設けられ、前記歯車チャンバと前記伝動チャンバとの間には歯車軸が回転できるように係合し取り付けられ、前記歯車軸には第四歯車が固定的に取り付けられ、前記第四歯車と前記第三歯車とが噛み合い、前記歯車軸の頂部端面には第五歯車が固定的に取り付けられ、前記挟み板の片側にはラックが設けられ、前記挟み板のラックと前記第五歯車とが噛み合い、前記挟み板の片側端面と前記伝動チャンバの片側内壁との間にはプッシュバネが固定的に取り付けられ、前記挟み板の片側内壁には挟み溝が設けられ、右側の前記横ロッドスリーブの右側端面にはスイッチ固定スリーブが固定的に取り付けられ、前記スイッチ固定スリーブには照明スイッチが固定的に取り付けられ、前記電源チャンバの左側内壁の中には固定バックルが固定的に取り付けられ、前記電源チャンバの頂壁にはスライドバックル溝が設けられ、前記スライドバックル溝の中にはスライドバックルがスライドできるように取り付けられ、前記スライドバックルと前記スライドバックル溝の頂壁との間にはスライドバックルバネが固定的に取り付けられ、モバイルバッテリーを電源チャンバの中に置き、スライドバックルと固定バックルとがモバイルバッテリーを電源チャンバの中に固定させ、照明スイッチを押し、電球を通電させ、調節ノブを回し、調節ノブが第二歯車を回転連動させ、第二歯車が回転して第一歯車を回転連動させ、第一歯車が回転して電球と集光板を回転連動させ、光の照射角度の調節を実現し、挟みノブを回し、挟みノブが第三歯車を回転連動させ、第三歯車が回転して第四歯車を回転連動させ、第四歯車が回転して第五歯車を回転連動させ、第五歯車が回転して挟み板を開けることができ、携帯電話を挟み溝の中に置き、プッシュバネが挟み板を駆動して携帯電話をきつく挟むことを特徴とする請求項１に記載の組み立て式ハンドルカバーである。
【手続補正２】
【補正対象書類名】明細書
【補正対象項目名】全文
【補正方法】変更
【補正の内容】
【発明の詳細な説明】
【技術分野】
【０００１】
本発明は自転車用品技術分野を取り上げて、具体的には組み立て式ハンドルカバーである。
【背景技術】
【０００２】
自転車用ハンドルにはブレーキワイヤーと変速ワイヤーが取り付けられ、長時間に外に露出され、整理に不便であり、時間が長く経つとブレーキワイヤーもハンドルも腐食され、また一部分の自転車を乗る人がハンドルに照明設備を取り付け、これにより自転車のハンドルに取り付けられた物が多くなり、現在ではハンドルカバーを使って自転車のハンドルを整理し飾ることがほとんどなく、それに対して組み立て式ハンドルカバーが更に自転車の使用に適する。
【先行技術文献】
【特許文献】
【０００３】
【特許文献１】中国特許出願公開第１０５４３８２４３号明細書
【特許文献２】中国特許出願公開第107757800号明細書
【発明の概要】
【発明が解決しようとする課題】
【０００４】
本発明の目的は組み立て式ハンドルカバーを提供し、それは上記の現在の技術中の問題を解決できる。
【課題を解決するための手段】
【０００５】
本発明の組み立て式ハンドルカバーは、自転車のハンドルに固定的に取り付けられた外部ケースを含み、前記外部ケースの下側には自転車のハンドルをカバーする外側カバー部品が固定的に取り付けられ、前記外側カバー部品は第一縦ロッドスリーブと左右対称の横ロッドスリーブを含み、前記第一縦ロッドスリーブの底部端面には第二縦ロッドスリーブがヒンジによって取り付けられ、前記第二縦ロッドスリーブと前記第一縦ロッドスリーブとが自転車のハンドルの中間の垂直部分をカバーし、前記第二縦ロッドスリーブと前記第一縦ロッドスリーブの外側端面には第一縦ロッドスリーブと第二縦ロッドスリーブをきつく挟むことができる挟みスリーブが固定的に取り付けられ、前記挟みスリーブの底部にはきつく挟むことができる固定ネジ山がネジ山によって係合し取り付けられ、前記横ロッドスリーブが自転車のハンドルの横ロッドの部分をカバーすることができ、前記横ロッドスリーブの片側端面には自転車のハンドルをカバーするハンドルグリップカバーがネジ山によって係合し取り付けられ、前記横ロッドスリーブには自転車のブレーキ用の穴が設けられ、前記外部ケースの内部には外部部品も設けられ、前記外部部品は前記外部ケースの後側端面に設けられた照明チャンバを含み、前記照明チャンバの左右内壁の間には支え回転軸が回転できるように係合し取り付けられ、前記支え回転軸には第一歯車が固定的に取り付けられ、前記第一歯車には集光できる集光板が固定的に取り付けられ、前記集光板の中には照明できる電球が固定的に取り付けられ、前記外部ケースの頂部の斜め側端面には挟みケースが固定的に取り付けられ、前記挟みケースの中には携帯電話を挟むことができる挟み板が設けられ、前記外部部品は前記第一縦ロッドスリーブの右側端面に設けられたモバイルバッテリーを収納する電源チャンバも含む。
【０００６】
更の技術プラン、前記外側カバー部品は前記第一縦ロッドスリーブの片側端面に設けられた引掛り凸部も含み、前記第一縦ロッドスリーブには引掛り輪が回転できるように係合し取り付けられ、前記引掛り輪と前記引掛り凸部とが回転できるように係合し取り付けられ、前記横ロッドスリーブの右側端面には第一引掛りバックルが固定的に設けられ、前記第一引掛りバックルと前記引掛り輪とが引掛ることができる。
【０００７】
更の技術プラン、前記外部部品は前記第一縦ロッドスリーブの頂部端面に設けられた引掛りバックル溝も含み、前記引掛りバックル溝の底壁には電源接点が固定的に取り付けられ、前記外部ケースの底部端面には第二引掛りバックルが固定的に取り付けられ、前記第二引掛りバックルと前記電源接点とが接触でき、前記照明チャンバの前側内壁と前記外部ケースの前側端面との間には調節軸が回転できるように係合し取り付けられ、前記調節軸の後側端面には第二歯車が固定的に取り付けられ、前記第二歯車と前記第一歯車とが噛み合い、前記調節軸の前側端面には調節ノブが固定的に取り付けられ、前記照明チャンバの上側には歯車チャンバが設けられ、前記歯車チャンバと前記外部ケースの頂部端面との間には挟みノブ軸が回転できるように係合し取り付けられ、前記挟みノブ軸の頂部端面には挟みノブが固定的に取り付けられ、前記挟みノブ軸には第三歯車が固定的に取り付けられ、前記挟みケースの中には伝動チャンバが設けられ、前記歯車チャンバと前記伝動チャンバとの間には歯車軸が回転できるように係合し取り付けられ、前記歯車軸には第四歯車が固定的に取り付けられ、前記第四歯車と前記第三歯車とが噛み合い、前記歯車軸の頂部端面には第五歯車が固定的に取り付けられ、前記挟み板の片側にはラックが設けられ、前記挟み板のラックと前記第五歯車とが噛み合い、前記挟み板の片側端面と前記伝動チャンバの片側内壁との間にはプッシュバネが固定的に取り付けられ、前記挟み板の片側内壁には挟み溝が設けられ、右側の前記横ロッドスリーブの右側端面にはスイッチ固定スリーブが固定的に取り付けられ、前記スイッチ固定スリーブには照明スイッチが固定的に取り付けられ、前記電源チャンバの左側内壁の中には固定バックルが固定的に取り付けられ、前記電源チャンバの頂壁にはスライドバックル溝が設けられ、前記スライドバックル溝の中にはスライドバックルがスライドできるように取り付けられ、前記スライドバックルと前記スライドバックル溝の頂壁との間にはスライドバックルバネが固定的に取り付けられる。
【０００８】
本発明の有益効果は：本発明は組み立て式の方式で自転車のハンドルをカバーし、自転車のハンドルのブレキーワイヤーをまとめて収納して保護し、ハンドルスリーブの中には照明などの外部設備が設けられ、便利に自転車を乗ることができ、同時にハンドルの整理も便利になり、組み立ての各部分を取り外すことができ、取り替えることに便利であり、普及価値がある。
【発明の効果】
【０００９】
本発明は組み立て式の方式で自転車のハンドルをカバーし、自転車のハンドルのブレキーワイヤーをまとめて収納して保護し、ハンドルスリーブの中には照明などの外部設備が設けられ、便利に自転車を乗ることができ、同時にハンドルの整理も便利になり、組み立ての各部分を取り外すことができ、取り替えることに便利であり、普及価値がある。
【図面の簡単な説明】
【００１０】
説明しやすいため、本発明は以下の具体的な実施例と付図を交え詳しく説明する。
【００１１】
【図１】図１は本発明の組み立て式ハンドルカバーの全体構成略図である。
【図２】図２は図１のＡ−Ａの断面構成略図である。
【図３】図３は図１のＢの拡大構成略図である。
【図４】図４は図２のＣ−Ｃの断面構成略図である。
【図５】図５は図２のＤ−Ｄの断面構成略図である。
【発明を実施するための形態】
【００１２】
以下に図１−５を交えて本発明について詳しく説明する。便利に叙述するため、現在は後文に出る方位を下記の通りに規定する：後文に出る上下左右前後方向は図１本体の投影関係の上下左右前後方向と一致する。
【００１３】
図１−５を参照し、本発明の組み立て式ハンドルカバーは、自転車のハンドルに固定的に取り付けられた外部ケース１３を含み、前記外部ケース１３の下側には自転車のハンドルをカバーする外側カバー部品８０が固定的に取り付けられ、前記外側カバー部品８０は第一縦ロッドスリーブ１４と左右対称の横ロッドスリーブ１１を含み、前記第一縦ロッドスリーブ１４の底部端面には第二縦ロッドスリーブ５０がヒンジによって取り付けられ、前記第二縦ロッドスリーブ５０と前記第一縦ロッドスリーブ１４とが自転車のハンドルの中間の垂直部分をカバーし、前記第二縦ロッドスリーブ５０と前記第一縦ロッドスリーブ１４の外側端面には第一縦ロッドスリーブ１４と第二縦ロッドスリーブ５０をきつく挟むことができる挟みスリーブ５１が固定的に取り付けられ、前記挟みスリーブ５１の底部にはきつく挟むことができる固定ネジ山５２がネジ山によって係合し取り付けられ、前記横ロッドスリーブ１１が自転車のハンドルの横ロッドの部分をカバーすることができ、前記横ロッドスリーブ１１の片側端面には自転車のハンドルをカバーするハンドルグリップカバー１０がネジ山によって係合し取り付けられ、前記横ロッドスリーブ１１には自転車のブレーキ用の穴１２が設けられ、前記外部ケース１３の内部には外部部品８１も設けられ、前記外部部品８１は前記外部ケース１３の後側端面に設けられた照明チャンバ２６を含み、前記照明チャンバ２６の左右内壁の間には支え回転軸２９が回転できるように係合し取り付けられ、前記支え回転軸２９には第一歯車３０が固定的に取り付けられ、前記第一歯車３０には集光できる集光板２８が固定的に取り付けられ、前記集光板２８の中には照明できる電球２７が固定的に取り付けられ、前記外部ケース１３の頂部の斜め側端面には挟みケース３８が固定的に取り付けられ、前記挟みケース３８の中には携帯電話を挟むことができる挟み板３６が設けられ、前記外部部品８１は前記第一縦ロッドスリーブ１４の右側端面に設けられたモバイルバッテリーを収納する電源チャンバ１８も含む。
【００１４】
前記外側カバー部品８０は前記第一縦ロッドスリーブ１４の片側端面に設けられた引掛り凸部４９も含み、前記第一縦ロッドスリーブ１４には引掛り輪４８が回転できるように係合し取り付けられ、前記引掛り輪４８と前記引掛り凸部４９とが回転できるように係合し取り付けられ、前記横ロッドスリーブ１１の右側端面には第一引掛りバックル４７が固定的に設けられ、前記第一引掛りバックル４７と前記引掛り輪４８とが引掛ることができ、第一縦ロッドスリーブ１４と挟みスリーブ５１とを自転車のハンドルの中間の垂直部分に挿し、固定ネジ山５２をきつくねじることにより第一縦ロッドスリーブ１４と挟みスリーブ５１とが自転車のハンドルの中間の垂直部分をきつく挟み、横ロッドスリーブ１１を引掛り輪４８の中に押し、横ロッドスリーブ１１が引掛り輪４８と引掛り、横ロッドスリーブ１１が自転車のハンドルの横ロッドの部分をカバーする。
【００１５】
前記外部部品８１は前記第一縦ロッドスリーブ１４の頂部端面に設けられた引掛りバックル溝４５も含み、前記引掛りバックル溝４５の底壁には電源接点４６が固定的に取り付けられ、前記外部ケース１３の底部端面には第二引掛りバックル４４が固定的に取り付けられ、前記第二引掛りバックル４４と前記電源接点４６とが接触でき、前記照明チャンバ２６の前側内壁と前記外部ケース１３の前側端面との間には調節軸２４が回転できるように係合し取り付けられ、前記調節軸２４の後側端面には第二歯車３１が固定的に取り付けられ、前記第二歯車３１と前記第一歯車３０とが噛み合い、前記調節軸２４の前側端面には調節ノブ２３が固定的に取り付けられ、前記照明チャンバ２６の上側には歯車チャンバ３４が設けられ、前記歯車チャンバ３４と前記外部ケース１３の頂部端面との間には挟みノブ軸３３が回転できるように係合し取り付けられ、前記挟みノブ軸３３の頂部端面には挟みノブ３２が固定的に取り付けられ、前記挟みノブ軸３３には第三歯車３５が固定的に取り付けられ、前記挟みケース３８の中には伝動チャンバ３９が設けられ、前記歯車チャンバ３４と前記伝動チャンバ３９との間には歯車軸４２が回転できるように係合し取り付けられ、前記歯車軸４２には第四歯車４３が固定的に取り付けられ、前記第四歯車４３と前記第三歯車３５とが噛み合い、前記歯車軸４２の頂部端面には第五歯車４１が固定的に取り付けられ、前記挟み板３６の片側にはラックが設けられ、前記挟み板３６のラックと前記第五歯車４１とが噛み合い、前記挟み板３６の片側端面と前記伝動チャンバ３９の片側内壁との間にはプッシュバネ４０が固定的に取り付けられ、前記挟み板３６の片側内壁には挟み溝３７が設けられ、右側の前記横ロッドスリーブ１１の右側端面にはスイッチ固定スリーブ２１が固定的に取り付けられ、前記スイッチ固定スリーブ２１には照明スイッチ２２が固定的に取り付けられ、前記電源チャンバ１８の左側内壁の中には固定バックル２０が固定的に取り付けられ、前記電源チャンバ１８の頂壁にはスライドバックル溝１６が設けられ、前記スライドバックル溝１６の中にはスライドバックル１９がスライドできるように取り付けられ、前記スライドバックル１９と前記スライドバックル溝１６の頂壁との間にはスライドバックルバネ１７が固定的に取り付けられ、モバイルバッテリーを電源チャンバ１８の中に置き、スライドバックル１９と固定バックル２０とがモバイルバッテリーを電源チャンバ１８の中に固定させ、照明スイッチ２２を押し、電球２７を通電させ、調節ノブ２３を回し、調節ノブ２３が第二歯車３１を回転連動させ、第二歯車３１が回転して第一歯車３０を回転連動させ、第一歯車３０が回転して電球２７と集光板２８を回転連動させ、光の照射角度の調節を実現し、挟みノブ３２を回し、挟みノブ３２が第三歯車３５を回転連動させ、第三歯車３５が回転して第四歯車４３を回転連動させ、第四歯車４３が回転して第五歯車４１を回転連動させ、第五歯車４１が回転して挟み板３６を開けることができ、携帯電話を挟み溝３７の中に置き、プッシュバネ４０が挟み板３６を駆動して携帯電話をきつく挟む。
【００１６】
使用する時：第一縦ロッドスリーブ１４と挟みスリーブ５１を自転車のハンドルの中間の垂直部分に引掛り、固定ネジ山５２をきつくねじった後にきつく挟み、横ロッドスリーブ１１を引掛り輪４８の中に押し、横ロッドスリーブ１１と引掛り輪４８とが引掛り、横ロッドスリーブ１１が自転車のハンドルの横ロッド部分をカバーし、このハンドルカバーを自転車のハンドルに取り付け、モバイルバッテリーを電源チャンバ１８の中に置き、スライドバックル１９と固定バックル２０がモバイルバッテリーを電源チャンバ１８の中に固定的に取り付けられることができ、照明スイッチ２２を押し、電球２７が通電され、調節ノブ２３を回し、調節ノブ２３が第二歯車３１を回転連動させ、第二歯車３１が回転して第一歯車３０を回転連動させ、第一歯車３０が回転し電球２７と集光板２８を回転連動させ、光の照射角度の調節を実現し、挟みノブ３２を回し、挟みノブ３２が第三歯車３５を回転連動させ、第三歯車３５が回転して第四歯車４３を回転連動させ、第四歯車４３が回転して第五歯車４１を回転連動させ、第五歯車４１が回転して挟み板３６を開けることができ、携帯電話を挟み溝３７の中に置き、伝動チャンバ３９が挟み板３６を駆動して携帯電話をきつく挟む。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。